(57)【要約】【課題】  抗菌剤の効能を長期間持続できるＷ／Ｏエマルション型難燃性油圧作動油の提供。【解決手段】  界面活性剤を用いて基油に水を分散させたＷ／Ｏエマルション型難燃性油圧作動油において、含窒素系抗菌剤を配合するとともに、前記分散させる水にトリエタノールアミンを０.２〜７質量％添加したことからなるＷ／Ｏエマルション型難燃性油圧作動油。【選択図】  なし【特許請求の範囲】
【請求項１】
界面活性剤を用いて基油に水を分散させたＷ／Ｏエマルション型難燃性油圧作動油において、含窒素系抗菌剤を配合するとともに、前記分散させる水にトリエタノールアミンを０.２〜７質量％添加したことを特徴とするＷ／Ｏエマルション型難燃性油圧作動油。
【発明の詳細な説明】
【技術分野】
【０００１】
本発明は、抗菌性に優れたＷ／Ｏエマルション型難燃性油圧作動油に関する。
【背景技術】
【０００２】
高熱源雰囲気にさらされる鉄鋼設備、ダイキャストマシーンなどの各種油圧装置に可燃性の鉱物油系油圧作動油を用いると、突発的な油漏れにより火災の危険があるので、従来からこれらの設備には難燃性油圧作動油が用いられている。難燃性油圧作動油には、水‐グリコール型、Ｗ／Ｏエマルション型、Ｏ／Ｗエマルション型などの含水系の難燃性油圧作動油と脂肪酸エステル型、リン酸エステル型などの合成油系のものがある。合成油系の難燃性油圧作動油は，難燃性が充分でなく，また毒性の問題もあり実用性に欠ける。また、水グリコール型は、難燃性に優れるものの、すべて水溶性基材で構成されているため廃水に漏洩した際ＣＯＤが高まり、廃水処理の負荷が多大である。
【０００３】
一方、Ｗ／Ｏエマルション型難燃性作動油は、連続相が油で、水滴が約２μｍで安定に油中に分散しており、廃水に漏洩しても容易に浮上回収ができ、また水中のＣＯＤ増加も極めて少ない廃水処理性に優れた非危険物に分類される難燃性作動油である。近年、環境対応の一環として、Ｗ／Ｏエマルション型難燃性作動油の使用がこの見直されている。
【０００４】
Ｗ／Ｏエマルション型難燃性油圧作動油は、一般的に、基油約６０容量％に乳化剤を配合し、水約４０容量％を機械的に乳化したもので、作動油としての特性を持たせるため、摩耗防止剤、防錆剤、酸化防止剤、消泡剤を適宜配合したものである。この結果、Ｗ／Ｏエマルション型難燃性油圧作動油は、難燃性、潤滑性、廃水処理性に優れ、上記用途に多用されている。
【０００５】
一方、近年の傾向として、油圧作動油に対するメンテナンスフリーのニーズは高く、また実際に経費削減や油漏れに対する設備対応が整い、従来に比べ新油の補給量が減少してきた。一般に、含水系難燃性作動油は、水、有機物（鉱物油など）から構成されているため、適度な環境（温度，汚染水の混入、ｐＨなど）が整えば、微生物が生育する。特にカビは糸状であるため、ポンプのストレーナーを閉塞するなどのトラブルを引き起こす。そのため含水系難燃性作動油には抗菌剤が配合され、微生物の発生を抑制している（例えば、特許文献１参照）。抗菌剤は、バクテリア、コウボおよびカビなどの微生物に幅広い抗菌スペクトルを有し、なおかつＷ／Ｏエマルション型難燃性作動油としての特性、例えば、潤滑性、乳化安定性、油圧システムの材料適合性などに悪影響を及ぼさないものが用いられる必要がある。抗菌剤として古くから用いられているトリアジン系化合物は、優れた抗菌性を有するものの金属腐食性（特には、銅など）に大きな課題があった。この金属腐食性を改善するため、腐食防止剤の採用、腐食性の少ない抗菌剤の採用などが検討されている。
【０００６】
今後さらに新油の補給自体が少なくなる傾向にあり、現状よりもさらに抗菌性の長期持続性が必要されている。特に、一般的に微生物は中性から酸性域で成育しやすく、また抗菌剤の効力はアルカリ域で発揮される。酸性域でも効果がある抗菌剤もあるが、一般に金属腐食性が高く、好ましいものではない。
【特許文献１】特開２００２−２３５０９３号公報
【発明の開示】
【発明が解決しようとする課題】
【０００７】
本発明は上記課題を解決するもので、本発明の目的は抗菌剤の効能を長期間持続できるＷ／Ｏエマルション型難燃性油圧作動油を提供することにある。
【課題を解決するための手段】
【０００８】
本発明は、界面活性剤を用いて基油に水を分散させたＷ／Ｏエマルション型難燃性油圧作動油において、含窒素系抗菌剤を配合するとともに、前記分散させる水にトリエタノールアミンを０.２〜７質量％添加したＷ／Ｏエマルション型難燃性油圧作動油からなる。
【発明の効果】
【０００９】
本発明のＷ／Ｏエマルション型難燃性油圧作動油は、特定の種類の抗菌剤とトリエタノールアミンとを配合したために、長期にわたってアルカリ性を維持し，結果として抗菌剤の効能を長期間持続でき、しかも酸性域に達し微生物が繁殖してしまった使用油に新油を継ぎ足して使用したときでも使用油の抗菌性能を著しく回復できるという格別の効果を奏するものである。
【発明を実施するための最良の形態】
【００１０】
本発明の油圧作動油に用いる基油には、鉱油、合成油あるいはこれらの混合油を用いることができる。前記鉱油としては、原油を常圧蒸留及び／又は減圧蒸留して得られた潤滑油留分を、溶剤脱れき、溶剤抽出、水素化分解、溶剤脱蝋、水素化脱蝋、水素化精製、硫酸洗浄、白土処理等の潤滑油の精製に用いられる各種の精製処理を適宜組み合わせて得られたものが好適である。
【００１１】
また、合成油としては、ポリ-α-オレフィン、低分子量エチレン・α-オレフィン共重合体等を用いることができる。さらに、各種の鉱油基材を混合した混合油、あるいは合成油基材の混合油、およびそれら基材の任意な混合割合の混合油を使用することができる。これらの基油の物性は、特に限定するものではないが、４０℃における動粘度が５〜５０mm2/sのものが好ましく、１０〜３０mm2/sのものがより好ましい。
【００１２】
本発明の油圧作動油に用いる水は、特に制限はないが、精製水が好ましい。前記基油への水の配合割合は、１〜７０容量％が好ましく、難燃性、エマルション安定性およびエマルション粘度のバランスからは、水分割合が２０〜５５容量％になるようにすることがより好ましい。
【００１３】
界面活性剤（乳化剤）としては、非イオン系界面活性剤やイオン系界面活性剤などＷ／Ｏエマルションに用いられている周知のものを適宜用いることができる。具体的には、非イオン系界面活性剤として、アルケニルコハク酸エステル系、アルキル化フェニルエーテル、脂肪酸エステル、ソルビタンエステル系などが挙げられ、また、アニオン系界面活性剤としては、Ｃａスルフォネート、Ｂａスルフォネート、Ｎａスルフォネートなどがその一例として挙げられる。これらのうち、少なくとも１種以上の界面活性剤を、基油に対して０.５〜２０重量％、好ましくは１〜１０重量％添加する。
【００１４】
本発明では、抗菌剤として、バクテリア，コウボ，カビに幅広い抗菌スペクトルを有し，潤滑性，乳化安定性，さらには銅腐食性の少ない油溶性の含窒素系化合物を用いるものである。油溶性の含窒素化合物としては、炭素数８〜２４の３級アミンやモルホリン誘導体が好適である。
これらの抗菌剤は基油および／または水に添加することが好ましく、０.０１〜５質量％、好ましくは０.１〜３質量％添加する。これよりも少ないと十分な抗菌性能が得られず、多すぎても乳化安定性などへの諸性能へ影響し、かつコスト面で不利となる。
【００１５】
一方、トリエタノールアミンは、弱塩基性でアルカリ維持剤として添加されるもので、他の添加剤との反応性などが低く、水溶性切削液などで広く用いられている。
トリエタノールアミンは水に対して添加し、水を基準に０.１〜１０質量％、好ましくは０.２〜７質量％添加すると良い。これより少ないと十分なアルカリ維持剤としての効果が認められず、多すぎると乳化安定性やコスト面で不利となる。
【００１６】
本発明の作動油には、さらに周知の極圧剤、腐食防止剤、摩耗防止剤、防錆剤、酸化防止剤、及び消泡剤などの添加剤を適宜配合することができる。極圧剤、摩耗防止剤としてジアルキルジチオリン酸亜鉛、硫黄系化合物、リン系化合物など、腐食防止剤としてのチアジアゾール誘導体、防錆剤として金属スルフォネートなど、酸化防止剤としてフェノール系、アミン系化合物など、及び消泡剤としてシリコーン系化合物、ＰＭＡポリマーなどが挙げられる。また、前記各種の添加剤は、数種が予め混合されたいわゆる添加剤パッケージの形で用いることもできる。
【００１７】
上記の各種添加剤を基油、または水に配合し、それぞれ母液を調製し、高速ホモジナイザーなどの撹拌機を用いて、油側母液に水側母液を配合しながら、機械的に乳化することによりＷ／Ｏエマルション型難燃性作動油を得ることができる。Ｗ／Ｏエマルション型難燃性作動油で十分な難燃性を有するためには，通常，水側母液が４０容量％乳化される．この場合、基油には、乳化剤や摩耗防止剤などの油溶性添加剤を、また水には抗菌剤などの水溶性添加剤を配合して、混合することが好ましい。
【実施例１】
【００１８】
Ｗ／Ｏエマルション型難燃性油圧作動油の供試油を調製するに当たり、次の基材を用いた。
ａ）基油：動粘度（４０℃）が２０mm2/s、粘度指数が１０５、流動点が−１５℃のパラフィン系鉱油。
ｂ）水：精製水
ｃ）添加剤：
(1)抗菌剤Ａ：アルキルアミン系［Ｃ１６〜２２の１級アルキルアミン］
抗菌剤Ｂ：モルホリン誘導体［ニトロブチルモルホリン］
抗菌剤Ｃ：トリアジン系化合物
(2)アルカリ維持剤：トリエタノールアミン
(3)乳化剤：Ｃａスルフォネート系ほか
(4)摩耗防止剤：ＺｎＤＴＰ
(5)腐食防止剤：チアジアゾール
【００１９】
これらの基材を、表１に示す割合で混合し、高速ホモジナイザーで機械的に撹拌乳化して供試油１〜３及び比較油１、２のＷ／Ｏエマルション型難燃性油圧作動油を調製した。
これらの供試油及び比較油について、次の評価を行い、この結果を表１に示した。
ａ）ｐＨ
ｂ）全塩基価（ＪＩＳ  Ｋ２５０１）
ｃ）潤滑性：シェル４球耐摩耗試験［1800rpm，40kgf/cm2，30min］
摩耗痕（mm）の計測
ｄ）乳化安定性：冷却−加熱サイクル試験［−15℃×72ｈ⇔25℃×24ｈ］
エマルション１００ｍｌにおける水−油分離量（ml）
ｅ）銅腐食性［装置：JIS K2510，銅板：JIS K2514，60℃，1500rpm，168hr］
銅板の腐食減量（mg）
【００２０】
【表１】
2005263884.tif 000002
【００２１】
表１の供試油１〜３が示すようにアルカリ維持剤としてトリエタノールアミンを配合すると、ｐＨがアルカリ側にシフトした。比較油１と比べても、トリエタノールアミンの配合による潤滑性、乳化安定性、銅腐食性などの作動油としての特性に大きな影響がないことが分かる。一方、比較油２に示すように、高アルカリを示す抗菌剤Ｃを用いると銅腐食性の点で問題があることがわかる。
【実施例２】
【００２２】
ｐＨが５.７にまで下がった使用油と上記供試油２又は比較油１を表２に示す割合で配合し、ｐＨの変化を観察した。この結果を表２に示した。  
【００２３】
【表２】
2005263884.tif 000003
【００２４】
表２に示すように、トリエタノールアミンを配合した供試油２は，比較油１に比べて、混合量に対するｐＨの変化が少なく、良好なアルカリ維持性能を示した。アルカリ性を維持することによって、微生物の繁殖しにくい環境にできるとともに、アルカリ域で効力を発揮する抗菌剤の抗菌性能を長期に渡って維持できることを示すものである
【産業上の利用可能性】
【００２５】
本発明は、特定の種類の抗菌剤とトリエタノールアミンとを配合したために、銅腐食性や潤滑性などの作動油としての性能を損なわずに、また抗菌剤の効能を長期間持続できるアルカリ維持性を高めたものであり、Ｗ／Ｏエマルション型難燃性油圧作動油として非常に有用なものである。